(57)【要約】【課題】部材同士の相対的な摺動を常に円滑に行わしめることができる摺動構造を提供する。【解決手段】移動可能でその移動方向に対し交差する方向に延びた第１の凸部２３ｄを有した第１の部材２３と、第１の凸部に対し交差するように延びて当接する第２の凸部２１ｄを有し第２の凸部が第１の部材の移動に伴って第１の凸部と第２の凸部の当接点Ｘ，Ｙが第１の凸部と第２の凸部の両方に対して移動するように設けられた第２の部材２１，２２とを具備した。【選択図】図２
2018206811.tif 000002
【特許請求の範囲】
【請求項１】
移動可能で、その移動方向に対し交差する方向に延びた第１の凸部を有した第１の部材と、
上記第１の凸部に対し交差するように延びて当接する第２の凸部を有し、該第２の凸部が、上記第１の部材の上記移動方向への移動に伴って上記第１の凸部と上記第２の凸部の当接点が上記第１の凸部と上記第２の凸部の両方に対して移動するように設けられた第２の部材と、
を具備したことを特徴とした摺動構造。
【請求項２】
上記第１の凸部と上記第２の凸部は少なくとも一方は半円筒状に形成されていることを特徴とした請求項１に記載の摺動構造。
【請求項３】
上記第１の部材は、操作者の操作を受ける被操作部材であり、
上記第２の部材は、上記被操作部材が当該第２の部材に対する相対移動を可能に保持する保持部材であることを特徴とした請求項１に記載の摺動構造。
【請求項４】
上記第２の部材は蓋部材であり、当該摺動構造を具備する機器本体に設けられた軸周りに回動することを特徴とした請求項２に記載の摺動構造。
【請求項５】
上記摺動構造は、光学機器に用いられることを特徴とした上記請求項１又は請求項２に記載の摺動構造。
【請求項６】
上記摺動構造は、防水機器に用いられることを特徴とした上記請求項１〜請求項３のいずれか一つに記載の摺動構造。
【請求項７】
上記第１の部材は、操作者の操作を受ける被操作部材であり、
上記第２の部材は、当該摺動構造を具備する機器本体であることを特徴とした請求項１に記載の摺動構造。
【請求項８】
上記第１の凸部と上記第２の凸部とは、互いに非平行に配置されていることを特徴とした請求項１〜請求項６のいずれか一つに記載の摺動構造。
【発明の詳細な説明】
【技術分野】
【０００１】
この発明は、部材同士の相対的な摺動を円滑に行わしめる摺動構造に関するものである。
【背景技術】
【０００２】
従来、カメラ等の各種の電子機器においては、外面を覆う外装を備えた箱形状の機器本体と、この機器本体の内部に設けられる各種の構成部材等によって形成されているのが普通である。そして、上記機器本体の内部に配設されている各種の構成部材に対して外部からのアクセスを許容するために、上記機器本体の一部に開口部を設け、当該開口部を開閉自在とするための蓋部材を備えて構成されるような形態の電子機器が広く普及している。
【０００３】
例えば、機器本体の内部に着脱自在に収納される構成部材（例えばバッテリやメモリカード等）を備え、これらの構成部材を開口部を介して挿抜し得る形態の電子機器や、機器本体の外面に設けられた外部機器接続用コネクタ等の配設部等を、蓋部材によって覆うように構成した形態の電子機器等がある。
【０００４】
このような形態の電子機器は、例えば上記各種の構成部材（バッテリ，メモリカード等）を収納するための内部空間（電池室や媒体収納室等）が機器本体の内部に形成されている一方、機器本体の外表面に上記内部空間に連通して形成され上記各種の構成部材を当該機器本体の内部と外部との間で着脱し得るようにするための開口部が設けられると共に、さらに、機器本体に対して所定の支軸周りに回動して上記開口部を開閉自在とする蓋部材を備えて構成されている。そして、この蓋部材には、開口部の閉状態を維持する一方、所定の操作によって当該閉状態を解除することができるようにした蓋ロック解除機構を備えて構成されている。
【０００５】
ここで、上記蓋ロック解除機構は、上記蓋部材の内部に設けられ、当該蓋部材の内面に対して摺動自在に構成された摺動操作部材を有している。この摺動操作部材は、例えば摺動凸部が設けられており、この摺動凸部は蓋部材の内面（平面部）に当接した状態されている。そして、上記摺動操作部材が所定の直線上で往復移動の操作をされることにより、上記摺動凸部が蓋部材の内面を直線上に往復移動するように構成されている。
【０００６】
そして、上記摺動操作部材が摺動方向において一方に向けて摺動されて所定の一端に配置されたときには、同摺動操作部材が機器本体の一部位に係止されて上記蓋部材による開口部の閉状態を維持する一方、上記摺動操作部材が同摺動方向において他方に向けて摺動されて所定の他端に配置されたときには、同摺動操作部材は機器本体の一部位との係止を解除して上記蓋部材の機器本体に対する所定の支軸周りの回動を解除して、開口部を開放し得るように構成されている。
【０００７】
一方、上述のような蓋部材を備えた電子機器においては、近年、生活防水等のいわゆる防滴機能を備えたものや、塵埃が多く含まれる野外等の雰囲気中や水中等の過酷環境において使用することを考慮したいわゆる防塵防水機能を備えた電子機器が一般に実用化され、広く普及している。
【０００８】
例えば、特開昭５８−１２５９００号公報等によって開示されている発明は、防塵防水機能を有する電子機器に適用する蓋部材に関するものであって、機器本体の開口部を開閉自在とする蓋部材をヒンジ部において回動自在に構成し、当該蓋部材が開口部を閉状態とするとき、開口周縁部に対し蓋部材の対向面に設けられたＯリングを押し付けることで水密性を確保するという構成を有している。更に、摺動移動して蓋部材を閉状態に固定するロック部材を有している。
【先行技術文献】
【特許文献】
【０００９】
【特許文献１】特開昭５８−１２５９００号公報
【発明の概要】
【発明が解決しようとする課題】
【００１０】
ところが、上述のように防滴機能若しくは防塵防水機能を備えると共に、上述したような摺動構造を備えた従来の蓋部材を備えた構成の電子機器においては、例えば、海水浴等の環境で使用するとき、上記蓋部材の内側部であって防水処理が施されている空間より外側に位置する部位に外装部材間の隙間等から細かな砂粒等の異物が浸入する場合がある。
【００１１】
この場合、蓋部材の内部に侵入した砂粒等の異物が、当該蓋部材の内面と摺動操作部材との間の摺動部位に入り込むと、当該摺動操作部材のスムースな摺動を阻害する可能性がある。
【００１２】
また、当該摺動部位に砂粒等の異物が入り込んだ状態のまま、上記摺動操作部材の摺動操作を繰り返していると、当該摺動操作部材と蓋部材の内面との間を傷付けてしまうことになる。こうして、摺動部位が傷付いてしまうと、上記摺動操作部材との間の摩擦が増加することから、上記摺動操作部材の円滑な摺動を、さらに阻害してしまうという問題が生じる可能性がある。
【００１３】
加えて、上記特開昭５８−１２５９００号公報等によって開示されているような構成の蓋部材においてロック部材が本体に対して摺動する構成となっており、当該ロック部材が摺動する際には、直線的に同一直線上で往復移動するように構成されている。このことから、上記特開昭５８−１２５９００号公報に開示されている構成の場合、ロック部材と摺動面との間の摺動部位に砂粒等の異物が入り込んだ状態でロック部材が摺動すると、ロック部材の移動に伴って当該砂粒等の異物が強く噛み込まれてしまう可能性が高く、さらに、その際の噛み込みが強いことから、いったん入り込んだ砂粒等の異物は容易に取り除くことができないという問題点もある。
【００１４】
したがって、従来構成の摺動構造を備えた電子機器においては、摺動部位に砂粒等の異物が入り込んでしまうと、その摺動操作部材を操作する際の操作感を著しく低下させてしまうという問題点がある。
【００１５】
本発明は、上述した点に鑑みてなされたものであって、その目的とするところは、部材同士の相対的な摺動を常に円滑に行わしめることができる摺動構造を提供することである。
【課題を解決するための手段】
【００１６】
上記目的を達成するために、本発明の一態様の摺動構造は、移動可能で、その移動方向に対し交差する方向に延びた第１の凸部を有した第１の部材と、上記第１の凸部に対し交差するように延びて当接する第２の凸部を有し、該第２の凸部が、上記第１の部材の上記移動方向への移動に伴って上記第１の凸部と上記第２の凸部の当接点が上記第１の凸部と上記第２の凸部の両方に対して移動するように設けられた第２の部材と、を具備した。
【発明の効果】
【００１７】
本発明によれば、部材同士の相対的な摺動を常に円滑に行わしめることができる摺動構造を提供することができる。
【図面の簡単な説明】
【００１８】
【図１】本発明の一実施形態の摺動構造が適用されている蓋部材を備えた防水光学機器（カメラ）の正面の構成を示す外観図
【図２】本発明の一実施形態の摺動構造を適用した蓋部材を分解して示す要部拡大分解斜視図
【図３】本発明の一実施形態の摺動構造を適用した蓋部材を組み立てた状態を図２の矢印［３］方向から見た際の平面図
【図４】本発明の一実施形態の摺動構造を適用した蓋部材における蓋本体のみを取り出して示し図２の矢印［４］方向から見た蓋本体の内面を示す平面図
【図５】本発明の一実施形態の摺動構造を適用した蓋部材の構成部材のうち一部の部品（摺動操作部材）のみを取り出して示す要部拡大斜視図
【図６】本発明の一実施形態の摺動構造を適用した蓋部材における摺動操作部材のみを取り出して図５の矢印［６］方向から見た際の要部拡大斜視図
【図７】図３の［７］−［７］線に沿う断面の一部を示し、摺動操作部材が閉位置にある状態を示す要部拡大断面図
【図８】図３の［７］−［７］線に沿う断面の一部を示し、摺動操作部材が開位置にある状態を示す要部拡大断面図
【図９】本発明の一実施形態の摺動構造を適用した蓋部材の作用を説明する図であって、摺動操作部材が閉位置にある状態を示す図
【図１０】図９の符号［１０］で示す領域を拡大して示す要部拡大平面図
【図１１】本発明の一実施形態の摺動構造を適用した蓋部材の作用を説明する図であって、摺動操作部材が開位置にある状態を示す図
【図１２】図１１の符号［１２］で示す領域を拡大して示す要部拡大平面図
【発明を実施するための形態】
【００１９】
以下、図示の実施の形態によって本発明を説明する。以下の説明に用いる各図面は模式的に示すものであり、各構成要素を図面上で認識できる程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２０】
［一実施形態］
本発明の一実施形態は、例えば水中で使用することのできるカメラ等の防水光学機器における蓋部材に適用した摺動構造の一例である。
【００２１】
まず、本発明の一実施形態の摺動構造の詳細を説明する前に、当該摺動構造を適用した蓋部材を備えた防水光学機器（カメラ）の概略構成を、主に図１を用いて以下に説明する。図１は、本発明の一実施形態の摺動構造が適用されている蓋部材を備えた防水光学機器（カメラ）の正面の構成を示す外観図である。
【００２２】
図１に示すように、本実施形態の摺動構造を蓋部材に適用した防水光学機器であるカメラ（以下、単にカメラと略記する）１は、全体が箱形状に形成され、当該カメラ１の主要本体部（機器本体）を構成する外装筐体１０と、この外装筐体１０の底面側の開口部１０ｃを開閉する蓋部材２０と、上記外装筐体１０の内部に収納配置される各種の構成部材等（不図示）等によって構成されている。
【００２３】
外装筐体１０は、当該カメラ１の外殻を形成する部材である。この外装筐体１０の内部には、各種の構成ユニット，構成部材（不図示）が収納配置されている。
【００２４】
また、外装筐体１０の外表面上には、内部の構成ユニットの一部を露呈させるための開口部（１０ａ，１０ｂ，１０ｃ等）が形成されている。また、外装筐体１０の外表面のうち上面には、各種の操作を行なうための複数の操作部材（１２，１３等）が各々所定の部位に配設されている。
【００２５】
具体的には、例えば外装筐体１０の前面には、略中央部に撮影光学系１１を露呈させる撮影用開口部１０ａが形成されている。また、外装筐体１０の前面おいて、図１に対し向かって右側の上縁寄りの部位には閃光発光装置の照明部を露呈させる照明光出射用開口部１０ｂが形成されている。なお、上記撮影用開口部１０ａ，上記照明光出射用開口部１０ｂの前面には透明部材が水密的に固定配置されている。したがって、当該開口（１０ａ，１０ｂ）から内部への水等の侵入は防止されている。
【００２６】
一方、外装筐体１０の上面には、複数の操作部材のうちシャッターリリースボタン１２や電源ボタン１３等が配設されている。
【００２７】
他方、カメラ１の底面には、例えばバッテリやメモリカード等（不図示）の内部構成物（以下、単に内部構成物と略記する）を収納する電池室及び媒体収納室等（不図示）の内部空間（以下、単に内部空間と略記する）に連通する開口部１０ｃが形成されている。即ち、当該開口部１０ｃは、上記電池室及び媒体収納室等（不図示）の内部空間に対してバッテリやメモリカード等（不図示）の構成物を外部から挿入し、また、内部空間から外部へと取り出す際の挿抜開口である。
【００２８】
この開口部１０ｃは、上記構成物の着脱を実現するための蓋部材２０によって開閉自在となっている。ここで、図１は、蓋部材２０の開状態を示している。また、この蓋部材２０が不図示の閉状態とされたときには、当該蓋部材２０の外表面と外装筐体１０の底面の外表面とが略面一となるように構成されている。
【００２９】
蓋部材２０は、外装筐体１０の底面の所定の固定部位に固設された軸部材２７によって軸支されている。これにより、当該蓋部材２０は、上記軸部材２７を回動中心として当該軸部材２７の軸周りに、即ち図１に示す矢印符号Ｒ方向に回動自在に構成されている。
【００３０】
上記蓋部材２０は、上記開口部１０ｃを閉状態とする位置に配置されたときに上記開口部を覆う蓋本体２１を有して形成される。この蓋本体２１には、当該蓋部材２０が開口部１０ｃを閉状態とする位置に配置されたときに、上記開口部１０ｃに対向する面に蓋ゴム２５が設けられている。この蓋ゴム２５は、開口部１０ｃを水密に閉鎖するためのシール部材である。なお、上記蓋部材２０の詳細構成についてはさらに後述する。
【００３１】
上記カメラ１の構成について、その他の構成は従来一般的なカメラと略同様構成を有しているものとする。
【００３２】
次に、本発明の一実施形態の摺動構造を適用した蓋部材の構成を、主に図２〜図８を用いて以下に詳述する。図２は、本発明の一実施形態の摺動構造を適用した蓋部材を分解して示す要部拡大分解斜視図である。図３は、本発明の一実施形態の摺動構造を適用した蓋部材を組み立てた状態を示す平面図である。なお、図３は図２の矢印［３］方向から見た際の平面を示している。また、図３は、摺動操作部材が閉位置にある状態を示している。
【００３３】
図４は、本発明の一実施形態の摺動構造を適用した蓋部材における蓋本体のみを取り出して示す平面図である。この図４は図２の矢印［４］方向から見た蓋本体の内面を示している。図５，図６は、本発明の一実施形態の摺動構造を適用した蓋部材の構成部材のうち一部の部品（摺動操作部材）のみを取り出して示す要部拡大斜視図である。このうち図５は、図２に示す状態と同状態を示している。また図６は、図５の矢印［６］方向から見た斜視図である。
【００３４】
図７，図８は、図３の［７］−［７］線に沿う断面の一部を示す要部拡大断面図である。このうち図７は、摺動操作部材が閉位置にある状態を示している（図３の部分断面図）。また、図８は、摺動操作部材が開位置にある状態を示している。
【００３５】
なお、図２〜図４等において示す矢印符号Ｓは、本実施形態の摺動構造における摺動操作部材（２３）の摺動方向（移動方向）を示すものである（詳細後述）。また、当該摺動方向Ｓに沿う方向において、矢印Ｓ１は摺動操作部材（２３）を閉位置へと摺動させる際の方向を指し、これを閉方向というものとする。同様に、矢印Ｓ２は摺動操作部材（２３）を開位置へと摺動させる際の方向を指し、これを開方向というものとする。
【００３６】
本発明の一実施形態の摺動構造を適用した蓋部材２０は、図２等に示すように、蓋本体２１（第２の部材）と、蓋カバー２２（第２の部材）と、摺動操作部材２３（第１の部材）と、蓋ロック操作部材２４と、蓋ゴム２５等によって主に構成されている。
【００３７】
蓋本体２１は、当該蓋部材２０の基本構成部材である。蓋本体２１は、一面が開放された箱形状に形成されている。蓋本体２１における上記箱形状の内部には、摺動操作部材２３と蓋ロック操作部材２４とが摺動操作自在に収納される所定の領域の空間が形成されている。
【００３８】
また、上記蓋本体２１における上記箱形状の内部において、当該開放面に対向する底面には所定の領域に亘って平面２１ｅが形成されている。この平面２１ｅは、上記摺動操作部材２３の一面２３ｅが当接して摺動するための平面である。
【００３９】
上記平面２１ｅには、所定の部位に複数の摺動凸部２１ｄ（第２の凸部）が形成されている。本実施形態においては、複数の摺動凸部２１ｄの配置例として、図４に示すように、例えば上記平面２１ｅの領域の各四隅部分にそれぞれ一つずつ設けた例を示している。
【００４０】
上記複数の摺動凸部２１ｄは、当該蓋部材２０を組み立てた状態としたとき、後述するように、摺動操作部材２３の一面２３ｅ側の摺動凸部２３ｄ（第１の凸部）が常に当接することで、当該摺動操作部材２３の摺動を円滑化するために設けられる部位である。そして。上記複数の摺動凸部２１ｄは上記複数の摺動凸部２３ｄと共に、本実施形態の摺動構造の一部を構成している。
【００４１】
上記複数の摺動凸部２１ｄのそれぞれは、例えば半円柱形状若しくは半円筒形状に形成され、円弧形状部が上記平面２１ｅから外部に向けて突設されるように形成されている。そして、上記複数の摺動凸部２１ｄにおける円柱若しくは円筒の長軸は、上記平面２１ｅ上において、上記摺動操作部材２３の摺動方向Ｓに対して鋭角の傾斜角度を有するように形成されている。
【００４２】
この場合において、上記複数の摺動凸部２１ｄの長軸の長さＬ１（後述する図１０，図１２参照）は、次のように設定されている。即ち、上記摺動操作部材２３の摺動方向Ｓにおける摺動範囲（移動距離）の長さＬ３（摺動長さＬ３という）を長辺とし、上記複数の摺動凸部２３ｄの長軸の長さＬ２を短辺としたときの矩形の対角線長さよりも大となるように設定されている。したがって、複数の摺動凸部２１ｄの長軸の長さＬ１は、当該複数の摺動凸部２１ｄの傾斜角度によって適宜設定される。
【００４３】
なお、本実施形態においては、図４に示すように、蓋本体２１の平面２１ｅに向かってみたとき、複数の摺動凸部２１ｄのうちの左上隅に配置したもののみ、その傾斜方向を異ならせて形成した例を示しているが、上記複数の摺動凸部２１ｄの傾斜方向について、この形態に限られることはなく、上記摺動操作部材２３の摺動方向Ｓに対して鋭角の傾斜角度を有するように形成されていればより好ましく、必ずしも鋭角の必要はない。つまり摺動凸部２１ｄの長軸と摺動凸部２３ｄの長軸が交差していればよい。即ち、摺動凸部２１ｄと摺動操作部材２３ｄとの当接点（後述の当接点Ｘ，当接点Ｙ及び当接点Ｘと当接点Ｙとの間の軌跡線を成す点）の移動方向が摺動操作部材２３の移動方向成分だけでなく、該移動方向に直交する方向の成分をも含めばよい。
【００４４】
また、蓋本体２１の長手方向の一端面には、切欠開口２１ａが形成されている。この切欠開口２１ａは、上記蓋本体２１の内部に収納した摺動操作部材２３の一部である係止部２３ａが、当該摺動操作部材２３の摺動操作に伴って、上記蓋本体２１の内部と外部の間で突没し得るようにするための開口部である。
【００４５】
即ち、蓋部材２０が外装筐体１０に対して閉状態とされたとき、摺動操作部材２３の係止部２３ａは、蓋本体２１の外部に突出することにより、当該係止部２３ａと外装筐体１０側に形成された被係合孔（不図示）とが係合する。これにより、当該摺動操作部材２３の閉位置が維持される。
【００４６】
ここで、摺動操作部材２３の閉位置とは、蓋部材２０が外装筐体１０の開口部１０ｃを覆い、上記摺動操作部材２３が蓋部材２０の閉状態を維持している位置をいう。
【００４７】
また、蓋部材２０が同状態において、摺動操作部材２３の係止部２３ａが蓋本体２１の切欠開口２１ａより内部に向けて没入されると、当該係止部２３ａと外装筐体１０側の被係合孔（不図示）との係合が解除される。これにより、当該摺動操作部材２３は開位置へと変位し得る状態になる。
【００４８】
ここで、摺動操作部材２３の開位置とは、蓋部材２０が外装筐体１０の開口部１０ｃを覆っている状態を解除させ得る状態であって、蓋部材２０を開状態へと変位させ得る状態にあるときの上記摺動操作部材２３の位置をいう。
【００４９】
そのために、上記切欠開口２１ａは、摺動操作部材２３の係止部２３ａが摺動する方向Ｓの線上に設けられ、かつ当該摺動操作部材２３の係止部２３ａを挿通可能な幅寸法を有して形成されている。さらに、上記切欠開口２１ａは、当該蓋部材２０が外装筐体１０に対して閉状態とされたとき、外装筐体１０側の被係合孔（不図示）に対向する位置に配置されている。
【００５０】
一方、上記蓋本体２１の長手方向の他端には、上記軸部材２７（図１参照）を挿通させる挿通孔２１ｂが形成されている。したがって、この挿通孔２１ｂは、当該蓋部材２０が上記軸部材２７を介して外装筐体１０の所定の固定部に取り付けられたとき、当該蓋部材２０の回動中心となる。ここで、当該蓋部材２０の回動中心を、図３に示す符号２１Ａｘとして示し、これを回動中心軸２１Ａｘというものとする。
【００５１】
蓋カバー２２は、上記蓋本体２１の上記箱形状における開放面を覆うように設けられるカバー部材である。この蓋カバー２２を蓋本体２１に取り付けた状態としたとき、当該蓋本体２１の内部には、摺動操作部材２３と蓋ロック操作部材２４とが挟み込まれた状態で、その内部において摺動操作部材２３と蓋ロック操作部材２４が摺動操作自在に収納される。この場合において、蓋カバー２２には、摺動操作部材２３のツマミ部２３ｂと蓋ロック操作部材２４のツマミ部２４ｂとをそれぞれ外部に露呈させるためのツマミ開口２２ａ，２２ｂが形成されている。
【００５２】
また、蓋カバー２２を蓋本体２１に取り付けたとき、当該蓋カバー２２の内側面、即ち内部に収納される上記摺動操作部材２３の他面２３ｆが対向する面には、所定の領域に亘って平面２２ｆが形成されている。この平面２２ｆは、上記摺動操作部材２３の他面２３ｆが当接して摺動するための平面である。
【００５３】
なお、図示を省略しているが、上記平面２２ｆにも、上記蓋本体２１の平面２１ｅの複数の摺動凸部２１ｄと略同形態でかつ略同形状からなる複数の摺動凸部（不図示）が形成されている。上記蓋カバー２２に設けられる上記複数の摺動凸部（不図示）については、上記蓋本体２１の平面２１ｅの複数の摺動凸部２１ｄと全く同様であるものとして、その説明を省略する。
【００５４】
また、蓋カバー２２の複数の摺動凸部（不図示）は、摺動操作部材２３の他面２３ｆ側の複数の摺動凸部２３ｄが対応し、これら摺動凸部（不図示）及び摺動凸部２３ｄも本実施形態の摺動構造の一部を構成している。
【００５５】
摺動操作部材２３は、図２，図５，図６等に示すように、また上述したように、当該蓋部材２０を組み立てた状態としたとき、蓋本体２１と蓋カバー２２との間に挟み込まれた状態で、上記蓋本体２１の内部において摺動操作自在に収納される操作部材である。
【００５６】
つまり、蓋本体２１，蓋カバー２２（第２の部材）は、摺動操作部材２３（被操作部材；後述）が蓋本体２１，蓋カバー２２（第２の部材）に対する相対移動を可能に保持する保持部材である。
【００５７】
この場合において、摺動操作部材２３は、図２等の矢印Ｓで示す方向を摺動方向として所定の範囲内で往復移動し得るように、上記蓋本体２１の内部に配設されている。即ち、上記摺動操作部材２３は、移動可能な第１の部材である。
【００５８】
摺動操作部材２３は、摺動方向Ｓに沿う方向における一端に、外部に突出するように係止部２３ａが形成されている。この係止部２３ａは、上述したように、当該摺動操作部材２３が摺動方向Ｓに沿う方向に摺動したとき、蓋本体２１の切欠開口２１ａより突没する部位である。
【００５９】
そして、蓋部材２０が外装筐体１０に対して閉状態とされたとき、摺動操作部材２３の係止部２３ａが蓋本体２１の切欠開口２１ａより外部に向けて突出して、外装筐体１０側の被係合孔（不図示）に係合する。これにより、当該摺動操作部材２３は閉位置に位置されて、上記蓋部材２０の閉状態が維持される。
【００６０】
また、蓋部材２０が同状態において、摺動操作部材２３の係止部２３ａが蓋本体２１の切欠開口２１ａより内部に向けて没入されると、外装筐体１０側の被係合孔（不図示）との係合が解除される。これにより、当該摺動操作部材２３は開位置に位置されて、上記蓋部材２０は開状態へと変位し得る状態になる。
【００６１】
一方、摺動操作部材２３は、摺動方向Ｓに沿う方向における他端に、外部に突出するようにロック爪部２３ｃが形成されている。このロック爪部２３ｃは、蓋ロック操作部材２４の摺動に応じて係合し、同係合を解除することによって、上記摺動操作部材２３の摺動を規制し又は解除するように作用する部位である。なお、当該ロック爪部２３ｃと上記蓋ロック操作部材２４とは、本発明に直接関連しない部分であるので、その詳細説明は省略する。
【００６２】
他方、上記摺動操作部材２３において、蓋部材２０を組み立てた状態としたときに、蓋本体２１の平面２１ｅに対向する面を一面２３ｅとし、蓋カバー２２の平面２２ｆに対向する面を他面２３ｆというものとする。
【００６３】
この場合において、摺動操作部材２３の一面２３ｅには、上記蓋本体２１の平面２１ｅの複数の摺動凸部２１ｄに対向する部位に各対応する複数の摺動凸部２３ｄがそれぞれ形成されている。同様に、摺動操作部材２３の他面２３ｆには、上記蓋カバー２２の平面２２ｆの複数の摺動凸部（不図示）に対向する部位に各対応する複数の摺動凸部２３ｄがそれぞれ形成されている。
【００６４】
これら複数の摺動凸部２３ｄのそれぞれは、例えば半円柱形状若しくは半円筒形状に形成され、円弧形状部が上記一面２３ｅ及び他面２３ｆから外部に向けて突設されるように形成されている。そして、上記複数の摺動凸部２３ｄにおける円柱若しくは円筒の長軸は、上記一面２３ｅ及び他面２３ｆ上において、上記摺動操作部材２３の摺動方向Ｓに対して交差する方向（略直交する方向）に延びるように形成されている。
【００６５】
換言すると、摺動操作部材２３（第１の部材）は、その移動方向（摺動方向Ｓ）に対して交差する方向に延びた第１の凸部である摺動凸部２３ｄを有して構成されている。
【００６６】
この場合において、複数の摺動凸部２３ｄの長軸の長さＬ２（後述する図１０，図１２参照）は、次のように設定されている。即ち、上記摺動操作部材２３の摺動方向Ｓにおける摺動範囲の長さＬ３（摺動長さＬ３という）を長辺とし、上記複数の摺動凸部２１ｄの長軸の長さＬ１を斜辺としたときの直角三角形の短辺長さよりも大となるように設定されている。したがって、複数の摺動凸部２３ｄの長軸の長さＬ２は、上記複数の摺動凸部２１ｄの傾斜角度によって適宜設定される。
【００６７】
なお、上記摺動操作部材２３の摺動方向Ｓにおける摺動長さＬ３は、次のようにして規定されている。即ち、上記摺動操作部材２３の摺動方向Ｓ及び当該摺動方向Ｓにおける摺動範囲は、摺動操作部材２３の略中央部に形成され貫通孔２３ｇ（図２等参照）によって規定される。そのために、当該貫通孔２３ｇは、摺動方向Ｓに沿う方向に長軸を有する長円形状に形成されている。この場合において、当該貫通孔２３ｇの長円の長軸方向が上記摺動操作部材２３の摺動方向Ｓに規定される。また、同貫通孔２３ｇの長円の長軸長さが上記摺動操作部材２３の摺動範囲（摺動長さ）として規定される。
【００６８】
また、摺動操作部材２３の他面２３ｆには、外方に向けて突出するようにツマミ部２３ｂが形成されている。このツマミ部２３ｂは、上記蓋カバー２２のツマミ開口２２ａから外部に露呈されるように配設されている。これにより、当該ツマミ部２３ｂは、使用者（ユーザ）の指操作を受け入れることができるように構成されている。つまり、摺動操作部材２３はツマミ部２３ｂを有して構成され、当該ツマミ部２３ｂを介して操作者の操作を受ける被操作部材である。
【００６９】
蓋ゴム２５は、上述したように、外装筐体１０の開口部１０ｃを水密に閉鎖するためのシール部材である。この蓋ゴム２５は、蓋部材２０が開口部１０ｃを閉状態とする位置に配置されたときに、上記開口部１０ｃに対向する蓋本体２１の一面（内側面）に固設されている。
【００７０】
即ち、蓋ゴム２５は、複数のビス２６を用いて蓋部材２０に取り付けられる。この場合において、複数のビス２６は、蓋ゴム２５，蓋本体２１，摺動操作部材２３を貫通して蓋カバー２２の内側面の平面２２ｆに設けられるビス孔（不図示）に螺合している。これにより、蓋ゴム２５は、当該蓋部材２０の一部として一体に上記蓋本体２１の一面（内側面）に固定されている。
【００７１】
上述したように、本実施形態の摺動構造は、相対的に摺動する部材同士の摺動構造である。即ち、本実施形態においては、蓋部材２０において、蓋本体２１の複数の摺動凸部２１ｄと、摺動操作部材２３の一面２３ｅの複数の摺動凸部２３ｄとの摺動構造である。また、同蓋部材２０において、摺動操作部材２３の他面２３ｆの複数の摺動凸部２３ｄと、蓋カバー２２の複数の摺動凸部（不図示）との摺動構造である。
【００７２】
この場合において、摺動操作部材２３は、移動可能な第１の部材である。この摺動操作部材２３（第１の部材）は、その移動方向（摺動方向Ｓ）に対して交差する方向に延びた第１の凸部である摺動凸部２３ｄを有して構成されている。
【００７３】
また、蓋本体２１は、摺動凸部２３ｄ（第１の凸部）に対し交差するように延びて当接する第２の凸部である摺動凸部２１ｄを有する第２の部材である。この蓋本体２１（第２の部材）には、摺動凸部２１ｄ（第２の凸部）が、摺動操作部材２３（第１の部材）の移動方向（摺動方向Ｓ）への移動に伴って摺動凸部２３ｄ（第１の凸部）と摺動凸部２１ｄ（第２の凸部）との当接点が摺動凸部２３ｄ（第１の凸部）と摺動凸部２１ｄ（第２の凸部）との両方に対して移動するように設けられている。なお、蓋カバー２２も蓋本体２１と同様に第２の部材である。
【００７４】
このように構成された蓋部材２０における摺動構造の作用について、以下に説明する。図９〜図１２は、本実施形態の摺動構造を適用した蓋部材の作用を説明する図である。これら図９〜図１２では、蓋部材２０から蓋カバー２２を取り外した状態として、当該蓋部材２０の蓋本体２１の内部に設けられる摺動操作部材を示している。このうち図９は摺動操作部材が閉位置にある状態を示している。図１０は図９の符号［１０］で示す領域を拡大して示す要部拡大平面図である。図１１は摺動操作部材が開位置にある状態を示している。図１２は図１１の符号［１２］で示す領域を拡大して示す要部拡大平面図である。
【００７５】
なお、図１０において、符号２３ｄ［ＣＬＯＳＥ］は、摺動操作部材２３の閉位置における摺動凸部２３ｄの位置を示し、点線を用いて図示している。また、同図１０において、符号２３ｄ［ＯＰＥＮ］は、摺動操作部材２３が開位置に移動したときの摺動凸部２３ｄの想定位置（図１２に示す位置）を示し、二点鎖線を用いて図示している。
【００７６】
同様に、図１２において、符号２３ｄ［ＯＰＥＮ］は、摺動操作部材２３の開位置における摺動凸部２３ｄの位置を示し、点線を用いて図示している。また、同図１２において、符号２３ｄ［ＣＬＯＳＥ］は、摺動操作部材２３が閉位置に移動したときの摺動凸部２３ｄの想定位置（図１０に示す位置）を示し、二点鎖線を用いて図示している。
【００７７】
まず、上記カメラ１において、蓋部材２０が外装筐体１０の開口部１０ｃを閉状態としているとき、摺動操作部材２３は図９に示す閉位置にある。このとき、当該摺動操作部材２３の係止部２３ａは、図９に示すように、蓋本体２１の切欠開口２１ａより外部に突出して、外装筐体１０側の被係合孔（不図示）に係合している。これにより、当該摺動操作部材２３は、蓋部材２０の閉状態を維持している。
【００７８】
この状態において、摺動操作部材２３の一面２３ｅの複数の摺動凸部２３ｄは、蓋本体２１の複数の摺動凸部２１ｄに対し、図１０の符号２３ｄ［ＣＬＯＳＥ］で示す閉位置にある。そして、このとき、複数の摺動凸部２３ｄと複数の摺動凸部２１ｄとは、それぞれが点接触にて当接している。このときの当接点を図１０において符号Ｘで示している。
【００７９】
この状態にあるとき、摺動操作部材２３のツマミ部２３ｂが、操作者の指等によって、図９に示す摺動方向Ｓに沿う方向であって同図９の矢印Ｓ２方向（開方向）へと摺動操作されたとする。すると、当該摺動操作部材２３は、図９，図１０に示す閉位置から同矢印Ｓ２方向（開方向）へ向けて摺動し図１１，図１２に示す開位置へと移動する。
【００８０】
このようにして、摺動操作部材２３が蓋本体２１に対して、矢印Ｓ２方向（開方向）へと相対移動するとき、摺動凸部２１ｄと摺動凸部２３ｄとは、上記当接点Ｘにおける点接触を維持しながら移動する。このときの当接点Ｘの移動軌跡は、摺動凸部２１ｄの長軸に沿う直線に一致する。
【００８１】
こうして、摺動操作部材２３が図１１，図１２に示す開位置へと移動すると、係止部２３ａは、図１１に示すように、蓋本体２１の切欠開口２１ａより内部に没入して、外装筐体１０側の被係合孔（不図示）との係合が解除される。これにより、蓋部材２０は開状態へと変位し得る状態とする。
【００８２】
一方、摺動操作部材２３が図１１に示す開位置にあるとき、摺動操作部材２３の一面２３ｅの複数の摺動凸部２３ｄは、蓋本体２１の複数の摺動凸部２１ｄに対し、図１２の符号２３ｄ［ＯＰＥＮ］で示す開位置にある。そして、このとき、複数の摺動凸部２３ｄと複数の摺動凸部２１ｄとは、それぞれが点接触にて当接している。このときの当接点を図１２において符号Ｙで示している。
【００８３】
この状態にあるとき、摺動操作部材２３のツマミ部２３ｂが、図１１に示す摺動方向Ｓに沿う方向であって同図１１の矢印Ｓ１方向（閉方向）へと摺動すると、当該摺動操作部材２３は、図１１，図１２の開位置から図９，図１０に示す閉位置へと移動する。
【００８４】
このようにして、摺動操作部材２３が蓋本体２１に対して、矢印Ｓ１方向（閉方向）へと相対移動するとき、摺動凸部２１ｄと摺動凸部２３ｄとは、上記当接点Ｙにおける点接触を維持しながら移動する。このときの当接点Ｙの移動軌跡は、摺動凸部２１ｄの長軸に沿う直線に一致する。つまり、摺動操作部材２３の閉位置と開位置との間の移動において上記当接点Ｘから当接点Ｙの間の移動軌跡は、当接点Ｘと当接点Ｙとを結ぶ直線上である。
【００８５】
なお、図示及び説明を省略したが、摺動操作部材２３の他面２３ｆの複数の摺動凸部２３ｄと蓋カバー２２の複数の摺動凸部とについても、摺動操作部材２３の摺動方向Ｓに沿う方向への移動に伴って、全く同様に作用する。
【００８６】
したがって、本実施形態の摺動構造においては、摺動操作部材２３が摺動方向Ｓに沿って摺動して、同摺動操作部材２３が蓋本体２１，蓋カバー２２に対して相対移動するとき、各当接点Ｘと当接点Ｙの間の移動軌跡は摺動方向Ｓに対して傾斜するように構成したので、例えば摺動部位（当接点近傍部位）に入り込んだ砂粒等の異物は、摺動操作部材２３の摺動に伴って噛み込まれるようなことがなく、自然にかつ容易に摺動部位から排除されることになる。
【００８７】
ところが従来の技術では、例えば、上記当接点が単に摺動方向に沿う直線上で変位するように構成されている場合には、摺動部位（当接点近傍部位）に入り込んだ砂粒等の異物は、摺動操作部材２３の摺動方向Ｓへの移動に伴って、当該摺動操作部材２３によって同方向に押されるのみで摺動部位から排除され難かったり、摺動部位においてさらに深く噛み込まれてしまう可能性がある。
【００８８】
さらに詳述すると、本実施形態の摺動構造においては、例えば、摺動操作部材２３の摺動中において、当接点Ｘ−Ｙの直線上の任意の摺動部位に砂粒等の異物が入り込んだとする。このときの蓋本体２１の摺動凸部２１ｄと摺動操作部材２３の摺動凸部２３ｄとの当接点を点Ａとすると、上記当接点Ａに砂粒等の異物が入り込んだ時点から、摺動操作部材２３が摺動方向Ｓに移動すると、蓋本体２１の摺動凸部２１ｄと摺動操作部材２３の摺動凸部２３ｄとの当接点は、上記当接点ＸＹを結ぶ直線上の点Ａと異なる点Ｂへ移動する。
【００８９】
このように、蓋本体２１の摺動凸部２１ｄと摺動操作部材２３の摺動凸部２３ｄとの当接点は、摺動操作部材２３の摺動方向Ｓへの移動に伴って刻々と変位する。したがって、ある時点で任意の摺動部位に入り込んだ砂粒等の異物は、摺動操作部材２３の摺動方向Ｓへの移動に伴って当接点が変位するので自然にかつ容易に排除される。
【００９０】
以上説明したように上記一実施形態によれば、摺動操作部材２３が摺動方向Ｓに沿って摺動操作されることによって、同摺動操作部材２３（第１の部材）が蓋本体２１，蓋カバー２２（第２の部材）に対して相対移動する摺動構造において、蓋本体２１の複数の摺動凸部２１ｄ（第２の凸部）及び蓋カバー２２の複数の摺動凸部（不図示；第２の凸部）は摺動方向Ｓに対して鋭角の傾斜角度を設けて形成されると共に、これらの対応する部材、即ち摺動操作部材２３の一面２３ｅ及び他面２３ｆの複数の摺動凸部２３ｄ（第１の凸部）は、摺動方向Ｓに対して交差する方向（略直交する方向）に延びるように形成している。
つまり、摺動凸部２３ｄ（第１の凸部）と摺動凸部２１ｄ（第２の凸部）とは互いに非平行に配置されている。
【００９１】
このような構成を採ることにより、蓋本体２１の複数の摺動凸部２１ｄ（蓋カバー２２の複数の摺動凸部（不図示））と、摺動操作部材２３の一面２３ｅ及び他面２３ｆの複数の摺動凸部２３ｄとを常に点接触で摺動させると共に、入り込んだ砂粒等の異物を自然にかつ容易に排除することができる。
【００９２】
また、たとえ、摺動部位に砂粒等の異物が入り込み、摺動操作部材２３の摺動のみでは排除できなかったとしても、深く入り込むことはないので、例えば静水中若しくは流水中において機器本体を手で振る等、若干の振動等を与えながら洗浄する等の処置を施すことにより、入り込んだ砂粒等の異物を容易に排除することができる。
【００９３】
したがって、これにより、部材同士の移動を行う摺動構造において、常に円滑な摺動を確保することができ、よって、常に良好な操作感を得ることができる摺動構造とすることができる。
【００９４】
なお、上記一実施形態においては、蓋本体２１（第２の部材）の複数の摺動凸部２１ｄ（第２の凸部）及び蓋カバー２２（第２の部材）の複数の摺動凸部（第２の凸部）を摺動方向Ｓ（移動方向）に対して鋭角の傾斜角度を設けて形成する一方、摺動操作部材２３（第１の部材）の一面２３ｅ，他面２３ｆの複数の摺動凸部２３ｄ（第１の凸部）を摺動方向Ｓ（移動方向）に対して交差する方向（略直交する方向）に延びるように形成した構成を例示している。
【００９５】
しかしながら、本発明はこのような構成に限られることはない。即ち、相対的に移動する部材同士の一方の摺動凸部（第２の凸部）を傾斜角度を設けて形成し、他方の摺動凸部（第１の凸部）を摺動方向（移動方向）Ｓに対して交差する方向に延びるように形成されていればよい。但し、互いに当接、摺動する一方の摺動部と他方の摺動部とは当然に非平行に形成されている必要がある。
【００９６】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【００９７】
本発明は、防水防塵機能を備えた各種の形態の電子機器、例えばデジタルカメラ，ビデオカメラ，ムービーカメラ，携帯電話，スマートフォン，電子手帳，電子辞書，携帯情報端末，パーソナルコンピュータ，タブレット型端末機器，ゲーム機器，テレビジョン受像器，時計，ＧＰＳ（Global Positioning System）を利用したナビゲーション機器等のほか、望遠鏡，双眼鏡，単眼鏡，顕微鏡等の観察用機器、内視鏡，顕微鏡のような産業用若しくは医療用の観察機器、監視カメラや車載用カメラ等の撮像装置等、各種の音声記録再生機能付き電子機器等に対して同様に広く適用することができる。
【符号の説明】
【００９８】
１……カメラ
１０……外装筐体
１０ａ……撮影用開口部
１０ｂ……照明光出射用開口部
１０ｃ……開口部
１１……撮影光学系
１２……シャッターリリースボタン
１３……電源ボタン
２０……蓋部材
２１……蓋本体
２１ａ……切欠開口
２１ｂ……挿通孔
２１ｄ……摺動凸部
２１ｅ……平面
２１Ａｘ……回動中心軸
２２……蓋カバー
２２ａ，２２ｂ……ツマミ開口
２２ｆ……平面
２３……摺動操作部材
２３ａ……係止部
２３ｂ……ツマミ部
２３ｃ……ロック爪部
２３ｄ……摺動凸部
２３ｅ……一面
２３ｆ……他面
２３ｇ……貫通孔
２４……蓋ロック操作部材
２４ｂ……ツマミ部
２５……蓋ゴム
２６……ビス
２７……軸部材
Ｓ……摺動方向（移動方向）
Ｓ１……閉方向
Ｓ２……開方向
Ｘ，Ｙ……当接点
【図１】
2018206811.tif 000003
【図２】
2018206811.tif 000004
【図３】
2018206811.tif 000005
【図４】
2018206811.tif 000006
【図５】
2018206811.tif 000007
【図６】
2018206811.tif 000008
【図７】
2018206811.tif 000009
【図８】
2018206811.tif 000010
【図９】
2018206811.tif 000011
【図１０】
2018206811.tif 000012
【図１１】
2018206811.tif 000013
【図１２】
2018206811.tif 000014